(57)【要約】【目的】  負イオンにより微生物の繁殖を十分に防止できる冷却装置を得る。【構成】  熱媒体と被熱交換空気とを熱交換させる熱交換器と、この熱交換器に被熱交換空気を供給する送風機と上記熱交換器を通る風路内に位置し、かつ送風機の下流側に設けられ、通過する空気に対して電子を電離することにより空気中の気体をイオン化する電離室、及び電離室にてイオン化された空気に含まれるオゾンを分解・除去するオゾン分解室により構成される微生物繁殖防止装置とを備え、このオゾン分解室は電離室と独立に駆動・停止が可能であるものとした。【選択図】        図２０
2004170068.tif 000002
【特許請求の範囲】
【請求項１】
熱媒体と被熱交換空気とを熱交換させる熱交換器と、この熱交換器に被熱交換空気を供給する送風機と上記熱交換器を通る風路内に位置し、かつ送風機の下流側に設けられ、通過する空気に対して電子を電離することにより空気中の気体をイオン化する電離室、及び上記電離室にてイオン化された空気に含まれるオゾンを分解・除去するオゾン分解室により構成される微生物繁殖防止装置とを備え、上記オゾン分解室は上記電離室と独立に駆動・停止が可能であることを特徴とする冷凍・空調装置。
【請求項２】
オゾン分解室は、被処理空間に人が存在する場合に駆動し、人が存在しない場合に停止することを特徴とする請求項１に記載の冷凍・空調装置。
【請求項３】
オゾン分解室は、格子状の発熱抵抗体と前記発熱抵抗体に電流を供給・停止する電流供給部とを有することを特徴とする請求項１又は２に記載の冷凍・空調装置。
【請求項４】
オゾン分解室はタイマ機能部を有する供給電流制御部を備え、上記タイマ機能部の信号により電流供給部に電流供給・停止の指令を出すことを特徴とする請求項３に記載の冷凍・空調装置。
【発明の詳細な説明】
【技術分野】
【０００１】
この発明は、微生物の繁殖防止、脱臭等の機能を有する冷凍・空調装置に関する。
【背景技術】
【０００２】
図２５は例えばテック社カタログ記載の従来の微生物繁殖防止装置の断面図であり、図において、１は空気または酸素、５０はシリコンコーティングを施した電極板、３は上記電極板に高電圧（約１２，０００Ｖ）を印加する高圧電源である。
【０００３】
次に動作について説明する。
シリコンコーティングした電極板５０に、高電圧が印加され、電極板５０空間に放電を起こさせる。その際、放電空間に発生する無数の放電（コロナ放電）のエネルギーにより、酸素１（空気中）が変化して（３０2 →２０3 ）、オゾンが発生する。図２６に示すよ
うに、オゾンを含む気体を冷蔵庫内に格納された食品に供給することによって、その食品に発生する微生物の繁殖を防止するものである。
図において、７は冷蔵庫、８は冷蔵庫７内に格納された食品、９は冷蔵庫７の冷却器、１０は冷蔵庫７内の気体、１１は気体１０を取り込むファン、１２は放電によりオゾンを発生するオゾン発生器、１３は気体１０に含まれる細菌や黴などの微生物及び悪臭成分をオゾンで殺菌、脱臭するオゾン殺菌・脱臭室、１５は殺菌・脱臭されたクリーンな気体である。
【０００４】
次に動作について説明する。
冷蔵庫７内に設けた冷却器９により冷蔵庫７内が冷却され、食品８が保存される。一方、ファン１１により取り込まれた黴、細菌または悪臭成分を含んだ気体１０に対して、オゾン発生器１２が気体１０中のオゾン濃度が数ｐｐｍ〜数十ｐｐｍとなるように、オゾンを注入する。このようにしてオゾンが注入された気体１０はオゾン殺菌・脱臭室１３に導かれ、気体１０中に含まれる黴、細菌または悪臭成分が殺菌または脱臭される。
【０００５】
しかしながら、オゾン殺菌・脱臭室１３内の気体１０中には数ｐｐｍ〜数十ｐｐｍのオゾンが含まれているので、このまま放出すると人体に有害であるとともに、熱交換器やファン１１などの機材を腐食する虞がある（具体的には、冷蔵庫７内のオゾン濃度を０．１ｐｐｍ以上に高めると、食品の種類によっては変色・変質したり、冷却器９の熱交換器９、ファン１１などの機材が腐食する）。
【発明の開示】
【発明が解決しようとする課題】
【０００６】
オゾンを利用して微生物の繁殖を防止する場合、人体等への悪影響を考慮すると気体１０のオゾン濃度を０．１ｐｐｍ以下に抑えなければならず、このオゾン濃度では微生物の繁殖を十分に防止できない問題点があった。
【０００７】
この発明は上記のような問題点を解決するためになされたもので、第１の目的は、人体に悪影響を与えないイオンを供給することにより微生物の繁殖防止、或いは被空調空間の浄化能力の高い冷凍・空調装置を得るものである。
また、第２の目的は、イオンによる上記微生物の繁殖防止、或いは被空調空間の浄化作用をより効果的に行うことができるようにするため、イオン発生量を制御し得る冷凍・空調装置を得るものである。
【０００８】
また、第３の目的は、食品等の微生物繁殖物体を格納する空間、或いは被空調空間の絶対湿度が変動すると上記空間内のイオン量も変動するが、絶対湿度が変動しても上記空間内のイオン量を所定の値に制御して微生物の繁殖防止・空調空間の浄化能力を良好な状態に維持し得る冷凍・空調装置を得るものである。
【０００９】
また、第４の目的は、オゾンの発生量を所定の範囲内に制御してオゾンによる短所を抑え、オゾンとイオンとの相乗効果により微生物の繁殖防止・被空調空間の浄化作用を更に向上させた冷凍・空調装置を得るものである。
【００１０】
さらに、第５の目的は、オゾン分解室をオゾン分解触媒で構成した場合、その触媒寿命を容易に識り得る冷凍・空調装置を得るものである。
【課題を解決するための手段】
【００１１】
本発明における冷凍・空調装置は、熱媒体と被熱交換空気とを熱交換させる熱交換器と、この熱交換器に被熱交換空気を供給する送風機と上記熱交換器を通る風路内に位置し、かつ送風機の下流側に設けられ、通過する空気に対して電子を電離することにより空気中の気体をイオン化する電離室、及び電離室にてイオン化された空気に含まれるオゾンを分解・除去するオゾン分解室により構成される微生物繁殖防止装置とを備え、オゾン分解室は電離室と独立に駆動・停止が可能であるものとした。
【００１２】
さらに、オゾン分解室は、被処理空間に人が存在する場合に駆動し、人が存在しない場合に停止するものとした。
【００１３】
さらに、オゾン分解室は、格子状の発熱抵抗体と発熱抵抗体に電流を供給・停止する電流供給部とを有するものとした。
【００１４】
さらに、オゾン分解室はタイマ機能部を有する供給電流制御部を備え、タイマ機能部の信号により電流供給部に電流供給・停止の指令を出すものとした。
【００１５】
このように、被熱交換空気を熱交換器に供給する送風機の下流側に微生物繁殖防止装置を設けてあるので、微生物繁殖防止装置で発生したイオンが送風機を通過することなく、したがってイオンの消滅を抑止して微生物繁殖物体等の格納空間、或いは被空調空間に供給でき、効率よく微生物の繁殖を防止したり、被空調空間の清浄化を行うことができる。また熱交換用送風機が微生物繁殖防止用送風機を共用できるので、低価格にして、かつ前述のように微生物繁殖防止性能、清浄化性能の高い冷凍・空調装置を得ることができる。
【００１６】
さらに、微生物繁殖防止装置の空気流上流側に熱交換器を配設することにより、発生したイオンが送風機、熱交換器で消滅するのを防止することができ、さらに効率のよい微生物の繁殖防止性能、或いは被空調空間の清浄化性能を有する冷凍・空調機を得ることができる。
【００１７】
また、外箱内に、空気流上流側から熱交換器、微生物繁殖防止装置、送風機の順に配置するとともに送風機羽根を電気絶縁材料で形成することにより、微生物繁殖防止装置で発生したイオンが送風機を通過する際の消滅を抑制することができ、構成機器が外箱内に収容されたユニットに構成できるので、据付、搬送が容易であり、工事費用の低減を図ることができる。
【００１８】
さらに、微生物繁殖防止装置の空気流上流側にフィルタを配設することにより、微生物繁殖防止装置へのじん埃、異物の侵入を防ぎ該装置の性能低下を防ぐことができる。
【００１９】
さらに、イオン検出手段により微生物繁殖防止装置から発生するイオン量を検出し、このイオン検出量が供給イオン目標値となるようにイオン発生量制御手段により制御するものである。
【００２０】
また、微生物繁殖防止装置に供給される風速によってイオン発生量が変化する特性を利用し、送風機の回転数を制御することによりイオン検出量を供給イオン目標値に収束させる。
【００２１】
また、イオン発生手段への印加電圧に応じ、イオン発生量が変化する特性を利用し、微生物繁殖防止装置を構成する電離室のイオン発生手段への印加電圧を制御することによりイオン検出量を供給イオン目標値に収束させる。
【００２２】
また、微生物繁殖物体を格納する空間、或いは被空調空間内の絶対湿度により上記空間へのイオン供給量が変化する特性を有するため、この特性に基づきイオン発生量制御手段がイオン発生量を制御する。
【００２３】
また、オゾン分解室は電気絶縁材料で被覆された発熱体で構成する。
【００２４】
また、供給電流制御部により、電気抵抗体で構成された発熱体への供給電流を制御し、オゾンの分解能力を変化させることにより、微生物の繁殖防止上、或いは被空調空間の清浄度を維持する上で、イオン量とオゾン量との比率を最適な比率に制御することができる。
【００２５】
また、二酸化マンガン等のオゾン分解触媒は、寿命がくると変色するため、オゾン分解室を透明部材、または網状部材で構成することにより容易に触媒寿命を識ることができる。
【００２６】
また、オゾン分解室を取付けた風路構成部材を風路に対して着脱可能とすることにより、オゾン分解室の保守点検を容易にすることができる。また、二酸化マンガン等のオゾン分解触媒を使用する場合、その寿命の確認及び取換えが容易になる。
【００２７】
また、オゾン分解室を取付けた風路構成部材を透明部材で構成することにより、オゾン分解室の透明部材、或いは網状部材を介して外部より容易に充填された二酸化マンガン等の触媒の取換時期（寿命がくると白く変色する）を識ることができる。
【００２８】
また、微生物繁殖防止装置で発生したイオンとオゾンとを食品等の微生物繁殖物体を格納する空間、或いは被空調空間に供給し、オゾン検出手段により上記空間内のオゾン量を検出する。そして、このオゾン検出値が所定の値となるようにオゾン発生量制御手段により制御する。
この結果、所定量のオゾンとイオンとを常時上記空間に供給することができ、その相乗効果による微生物の繁殖防止作用、或いは被空調空間の浄化作用を一層向上させる。
【発明の効果】
【００２９】
以上のようにこの発明による冷凍・空調装置においては、熱媒体と被熱交換空気とを熱交換させる熱交換器と、この熱交換器に被熱交換空気を供給する送風機と、上記熱交換器を通る風路内に位置し、かつ送風機の下流側に設けられ、通過する空気に対して電子を電離することにより空気中の気体をイオン化する電離室及び上記風路に対し電気的に絶縁され、上記電離室にてイオン化された気体中に含まれるオゾンを分解・除去するオゾン分解室とからなる微生物繁殖防止装置とを設けたことにより、イオン化した気体が送風機を通過することなく食品等の微生物繁殖物体に供給できるので、イオンの消滅を減少させることができ、効果的である。また、熱交換用送風機が微生物防止用送風機を共用できるため安価にして、かつ微生物繁殖防止能力の高い冷凍・空調装置を得ることができる。
【００３０】
さらに、熱交換器を微生物繁殖防止装置の上流側に配設したことにより、発生したイオンが熱交換器、送風機等を通過することなく、したがってイオンの消滅を抑止して、直接微生物が繁殖する物体に供給することができ、効率よく微生物の繁殖を防止することができる。或いはイオンを含む空気を被空調空間に供給することにより上記空間内を清浄に維持することができる。
【００３１】
また、空気流の上流側から順に熱交換器、送風機、微生物繁殖防止装置を配置した場合も同様な効果を得ることができる。
【００３２】
また、空気吸込口部及び空気吹出口部を有し、風路を形成する外箱と、この外箱内に配設され、熱媒体と被熱交換空気とを熱交換させる熱交換器と、電気絶縁材料で形成された送風機羽根を有し、上記熱交換器の下流側に位置して上記熱交換器に被熱交換空気を供給する送風機とを備えた冷凍・空調装置において、通過する空気に対して電子を電離することにより空気中の気体をイオン化する電離室と、上記風路に対して電気的に絶縁され、イオン化された上記気体中に含まれるオゾンを分解・除去するオゾン分解室とにより構成された微生物繁殖防止装置を上記熱交換器と上記送風機間に位置する風路内に配設したことにより、別途、微生物繁殖防止装置を設けなくても外箱内に収容された一つのユニットとしてコンパクトにまとまり、工事性の向上、工事費用の低減を図ることができるとともに、微生物が繁殖する物体にイオンを効率よく供給することができる。
【００３３】
さらに、微生物繁殖防止装置の上流側風路内にフィルターを設けたことにより、ゴミ等の微生物繁殖防止装置への侵入が防止できイオン発生量の低下を防止することができる。
【００３４】
さらに、微生物繁殖防止装置から発生するイオン量を検出するイオン検出手段と、このイオン検出手段で検出されたイオン検出量と予め設定された供給イオン目標値とを比較する比較手段と、この比較手段からの出力信号に基づき微生物繁殖防止装置から発生するイオン量を制御するイオン発生量制御手段とを設けたことにより微生物が繁殖する物体、或いは被空調空間へのイオン供給量を常に一定に維持することができるため微生物の繁殖を最小限に抑止することができる。或いは、被空調空間を清浄に保持することができる。また、微生物が繁殖する物体の種類に適したイオン量、或いは被空調空間の要求度合に応じたイオン量を供給することができるため、微生物の繁殖を最小限に抑止したり、被空調空間の清浄度を効果的に向上させ、より快適な空調空間を実現することができる。
【００３５】
イオン発生量制御手段は、送風機の回転数を制御することによりイオン発生量を制御し、上記同様の効果を発生させることができる。
【００３６】
また、イオン発生量制御手段は、印加電圧制御手段により電離室のイオン発生手段に印加する電圧を制御することによりイオン発生量を制御するので、送風機の回転数制御のような熱交換能力への影響が全くなく安定した運転を継続することができる。
【００３７】
また、微生物が繁殖する物体を格納する空間、或いは被空調空間内の温度を検出する温度検出手段と、上記空間内の相対湿度を検出する湿度検出手段と、上記温度検出器及び湿度検出手段で検出された湿度及び相対湿度に基づき上記空間内の絶対湿度を算出する算出部、この算出部で算出された絶対湿度に応じて微生物繁殖防止装置から発生するイオン量を制御するイオン発生量制御手段とを設けたことにより、上記空間内の絶対湿度が変動してイオン量が変動しても、この変動量を補うべくイオン発生量制御手段が応動するのでイオン量を所定の値に保持することができ、安定した微生物繁殖防止作用を継続できる。或いはまた、被空調空間の清浄化を安定して継続できる。
【００３８】
また、電気絶縁材料で被覆された発熱体でオゾン分解室を構成したので、オゾンの分解・除去効率を向上させるとともにイオンの消滅を僅少化することができる。
【００３９】
さらに、発熱体を発熱抵抗体で構成し、この発熱抵抗体への電流の供給を制御する供給電流制御部を設けたことによりイオン量とオゾン量との混合比率を変化させて供給することができるので、格納された微生物繁殖物体の種類、被空調空間の要求度合に応じ最も適した比率の混合気体を供給して微生物繁殖防止作用をさせたり、或いは被空調空間の清浄化作用を行わせることができる。
また、時間帯に応じてイオンとオゾンの混合気体、或いはイオンのみを供給することができるので、例えば人のいない夜間などはイオンとオゾンの混合気体を、昼間など人のいるときはイオンのみを供給して人体への影響を配慮しながら最大限に微生物の繁殖防止作用を行わせることができる。
【００４０】
また、二酸化マンガンなどのオゾン分解触媒を収容するオゾン分解室を透明部材、或いは網状部材で構成したので、容易にその変色等による寿命を識ることができ、触媒の交換時期を識ることができる。
【００４１】
また、オゾン分解室を取付けた風路構成部材を、風路に対して着脱可能とすることにより、オゾン分解室の保守点検を容易にすることができる。また、二酸化マンガン等のオゾン分解触媒を使用する場合、その寿命の確認及び取換えが容易になる。
【００４２】
また、オゾン分解室を取付けた風路構成部材を透明部材で構成することにより、オゾン分解室の透明部材、或いは網状部材を介して外部より容易に充填された二酸化マンガン等の触媒の取換時期（寿命がくると白く変色する）を識ることができる。
【００４３】
また、熱媒体と被熱交換空気とを熱交換させる熱交換器と、この熱交換器に被熱交換空気を供給する送風機と、上記熱交換器を通る風路内に位置し、高電圧を印加することにより空気中の気体をイオン化するとともにオゾンを発生させる電離室を有する微生物繁殖防止装置と、微生物が繁殖する物体を格納する空間、或いは被空調空間のオゾン量を検出するオゾン検出手段、このオゾン検出手段によって検出されたオゾン検出値が所定の値となるようにオゾン発生量を制御するオゾン発生量制御手段とを設けたことにより、微生物が繁殖する物体を格納する空間、或いは被空調空間にイオンと、所定低濃度のオゾンとを供給する場合以上にオゾンとの相乗効果により微生物の繁殖をより効果的に抑止したり、或いは被空調空間をより効果的に清浄化することができる。
【発明を実施するための最良の形態】
【００４４】
実施例１．
図１はこの発明による冷凍・空調装置の一実施例である冷却装置を示す構成図であり、図２は微生物繁殖防止装置の詳細図である。これらの図において、６５は熱交換器としての冷却器であり、冷媒と被熱交換空気（この実施例では庫内空気）とを熱交換させるものである。６７は上記冷却器６５に被熱交換空気を供給する送風機であり、６７ａは送風機羽根、６７ｂは上記送風機羽根６７ａを駆動する駆動モータである。６８は空気吹出口が設けられたファンカバー、６６は上記冷却器６５に生じた凝縮水を受容し、排水するドレンパン、７０は上記冷却器６５、送風機６７、ファンカバー６８、ドレンパン６６、外箱７５等により構成された冷却ユニットであり、取付け板６９を介して冷蔵庫７１の天井部７１ａに懸架されたものである。
２２は上記冷却器６５で冷却された空気を後述の電離室２３及びオゾン分解室２８に導く風路２２ｂを形成する風路構成部材である。２は複数の金属細線（例えば径が０．２ｍｍ以下）または金属針からなる電極、２５は上記金属針（または金属細線）側電極２と対向して配置されたメッシュ状（例えば１０メッシュ程度）の金属接地電極、４は金属針側電極２と金属接地電極２５間に高電圧を印加し、金属針側電極２からコロナ放電を発生させる高圧発生器である。２４は絶縁材料からなるブッシングであり、風路構成部材２２に取付けられたものである。以上のようにこの実施例においては、金属針側電極２、金属接地電極２５、ブッシング２４及び筐体を兼ねる風路構成部材２２等により電離室２３が構成されている。
【００４５】
２７は後述するように電離室２３においてイオン化された気体、２８は風路２２ｂ内に設置され、電離室２３においてイオン化された気体２７中に含まれるオゾンを分解・除去するオゾン分解室であり、二酸化マンガン、活性炭、活性アルミナなどのオゾン分解触媒が充填されている。２９は上記オゾン分解室２８を風路構成部材２２から電気的に絶縁する絶縁体であり、この実施例では風路構成部材２２の一部、即ちオゾン分解室２８を設置する部分とその周辺部だけを絶縁体で構成したものであり、例えば、ポリエチレン、ポリ塩化ビニル、アクリル樹脂等の有機絶縁材料、或いはガラス、石英などの無機絶縁材料からなる。Ａは上記電離室２３及びオゾン分解室２８等により構成された微生物繁殖防止装置である。３１は上記電離室２３とオゾン分解室２８間に位置する風路構成部材２２に取付けられた支持部材であり微生物繁殖防止装置Ａを冷蔵庫７１の天井部７１ａに懸吊するものである。３０はオゾン分解室２８から吹出される空気で、オゾンを含まないイオン化された気体を含む空気である。８は冷蔵庫７１内に格納された食品等の微生物繁殖物体である。
【００４６】
次に動作について説明する。
まず、冷却ユニット７０の送風機６７が庫内空気７２を冷却器６５に供給して冷却し、吹出口を形成したファンカバー６８から送出する。送出された空気１を微生物繁殖防止装置Ａの供給口２２ａから取り込み、風路２２ｂを介して電離室２３内に導く。
この電離室２３内の金属細線（例えば径が０．２ｍｍ以下）または金属針電極２と、この電極２と対向して配置されたメッシュ状（例えば１０メッシュ程度の）金属接地電極２５との間隔（ギャップ長）を１０〜２０ｍｍ程度とし、５〜１０ｋＶの負電流電圧を印加すると、金属針側電極２の先端近傍に、高い電界がかかり電子の放電が起こる。
従って、気体１が放電中の電離室２３内に導かれると、気体１に含まれる酸素分子等と電子が衝突して酸素分子等がイオン化し、気体１に負イオンが含まれることにになる。
【００４７】
この際、負イオンが発生すると同時にオゾンが発生し、負イオン化された気体２７にはオゾンが含まれることになる。オゾンは酸素化が強く、オゾン濃度が一定値以上になると有害であるため、負イオン及びオゾンを含有した気体２７を上記オゾン分解室２８に導き、オゾン分解触媒によりオゾンを分解・除去し、オゾンを含まない負イオン化された気体３０を冷蔵庫７１内の空間に放出する。なおオゾンがオゾン分解触媒２８で分解する際、強力は酸化力を有する活性種の酸素が発生し、冷蔵庫７１に保存される野菜、花き、果物などから発生するエチレンはこの活性種の酸素により分解される。また、気体１に含有される臭気物質もこの活性種の酸素により分解される。
【００４８】
従って、微生物が繁殖する物体等がある空間等に、負イオン化された気体３０を大量に放出することができ、その物体等に微生物が繁殖するのを抑えることができる（負イオン化された気体３０によって微生物が繁殖するのを抑えられることを実証した実験例があるが、この実験例の説明は後述する。）
【００４９】
ここで、この実施例１における微生物繁殖防止装置で発生される負イオンがオゾン分解室２８でほとんど減少しないことを実証するために実施した一実施例について説明する。
この実施例では、径が０．１８ｍｍのタングステンの細線電極２を２０ｍｍ間隔で３本配置し、この金属針電極２と、金属接地電極２５（１０メッシュのステンレス）のギャップ長を１０ｍｍ、両電極間に印加される直流電圧を５ｋＶ、両電極間を通過する空気の風速を約２ｍ／ｓとするとともに、オゾン分解室２８を封路２２がアクリル樹脂等の絶縁材料からなる絶縁体２９の部分に設置し、供給する空気の温度を５℃、湿度を９５％とする。
【００５０】
このような条件下で負イオンを発生させて、イオン化された気体２７のイオン濃度をイオン濃度計を用いて測定した結果、電離室２３の出口で負イオン濃度は約１０6 個／ｃｍ
3 であり、オゾン分解室２８を通過した直後におけるイオン化された気体３０の負イオン
濃度は約１０5 個／ｃｍ3 であった。
【００５１】
このように、オゾン分解室２８を風路構成部材２２が絶縁体２９からなる部分に設置した場合、オゾン分解室２８を通過した負イオン濃度は約１／１０に低下したものの、イオン化された気体３０に含まれるイオン濃度は通常の空気中に含まれるイオン濃度（８００〜１０００個／ｃｍ3 ）よりも１００倍以上高いものであるとともに、従来のもののよう
にオゾン分解室２８をステンレス等の金属材料からなる風路２２ｂに直接設置した場合に比べて数１０倍高いものであった。
【００５２】
一方、放電により同時に発生するオゾンは、オゾン分解室２８の上流側のイオン化された気体２７には約０．２〜０．４ｐｐｍ含まれていたが、オゾン分解室２８を通過した後では、イオン化された気体３０のオゾン濃度は、０．０１ｐｐｍ以下（ＪＩＳ規格のヨウ化カリウム法の検出限界以下）であった。
以上より、この実施例１によれば、負イオン化された気体３０のイオン濃度を十分維持しながら、オゾンを除去できることが分かる。
【００５３】
なお、上記実施例では金属細線電極２の細線の本数を３本としたが、さらに本数を増加させればイオンの発生量を増加させることは可能である。しかし、同時にオゾンの発生量も増加するため、オゾン分解室２８内のオゾン分解触媒の厚み（重量）を増加させる必要がある。
また、上記実施例では、直流印加電圧を５ｋＶとしたが、図３のように印加電圧をさらに高めれば、イオン発生量を増加させることができるが、同時にオゾン発生量も増加する。ギャップ長が１０ｍｍの場合に、電圧が数ｋＶから１０ｋＶ程度の範囲において、イオン発生量は印加電圧の増加に伴って増加した。
また、本実験では直流負電圧を金属細線電極２に印加したが、商用周波数以上のパルス直流負電圧を印加すると、オゾンの発生量を抑えかつ、負イオンの発生効率が向上するので望ましい。
【００５４】
また、ギャップ長については、電圧を５ｋＶとした場合においては、数ｍｍ以下では短絡を生じた。したがって、少なくとも７〜８ｍｍ以上が必要である。
また、本実施例では風速が２ｍ／ｓの空気を両電極間に流したが、図４のように、負イオン発生量は風速が大きいほど増加する。従って、微生物繁殖防止装置Ａの電離室２３が設置される風路２２の断面積は通気圧力損失が許容される範囲内で、できるだけ小さくして流速を高めることが望ましい。
上記実施例では絶縁体２９としてアクリル樹脂製の絶縁材料を使用したが、ポリエチレン、ポリ塩化ビニル、ガラスや石英ガラスなどの絶縁材料を使用しても同様の効果が得られた。
【００５５】
次にイオン化された気体３０によって微生物が繁殖するのを抑えられることを実証した実験例を示す。
冷蔵庫７１の内部は冷却ユニット７０より０℃〜５℃程度に冷却されている。この状態で、送風機６７を稼働すると、実施例１と同様に、オゾン分解室２８からオゾンを含まない負イオン化された気体３０が発生するので、このオゾンを含まない負イオン化された気体３０が冷蔵庫７１内の食品等の貯蔵空間に供給される。これにより、冷蔵庫７１内のイオン濃度は次第に高くなるが、発生した負イオンの一部は冷蔵庫７１の壁面、冷却器６５などに接触して消費されるので、冷蔵庫７１内の負イオン濃度はほぼ一定の値に維持される。
従って、冷蔵庫７１内に格納された食品等の貯蔵物８に対して負イオンが継続して供給されることになるので、食品等に微生物が繁殖されるのが抑えられることになる。
【００５６】
冷蔵庫７１内の適正な負イオン濃度は、食品の種類または冷蔵庫７１内の温度、湿度などの条件によって異なるが、実験結果によれば、空気中に通常存在する負イオン濃度（数１０〜１００個／ｃｍ3 程度）の数倍程度の極めて低い濃度でも微生物の繁殖防止効果が
認められる。しかし、好ましくはその１０倍から１，０００倍の負イオン濃度、すなわち１０3 〜１０5 個／ｃｍ3 とするのが効果が大きくかつ経済的である。
以下、負イオンによって微生物の繁殖が抑えられることを実験例を用いて説明する。
図５はこの実験例の実験結果を示したものであり、実験は食品等の貯蔵物８として鮪刺し身を用い、これを冷蔵庫７１内に温度５℃、湿度８０〜９５％の条件で３日間保存し、オゾン分解室２８で発生した負イオンで連続的に処理したものである。
なお、電離室２３の電極間に３〜５ｋＶの電圧を印加して、冷蔵庫７１内のイオン濃度は約１０3 〜１０4 個／ｃｍ3 に維持した。
また、発明の効果をより明らかにするために、無処理の場合及び負イオンを接触させずオゾンを食品８に接触させて処理した場合との効果の差を比較している。
オゾン処理は、冷蔵庫７１内のオゾン濃度を約１．０ｐｐｍに維持し、サンプルの鮪刺し身は多数の鮪刺し身の中から無差別にそれぞれ５切り身づつ抽出した。なお、食品８の表面の一般細菌のサンプリングはスタンプ法により、培地は標準寒天培地を用いたものである。
【００５７】
実験結果は、図５に示すように、無処理の場合（負イオン、オゾンを供給しない場合）、鮪刺し身は保存開始３日目には色が黒みを呈し始め、鮮度が低下し、また腐敗臭が発生した。このとき、鮪刺し身の表面の一般細菌数は約２００個／ｃｍ2 に増殖した。
【００５８】
また、１０4 個／ｃｍ3 の極めて低濃度のイオン雰囲気で連続的に処理した場合、鮪刺
し身は３日間初期の鮮度を完全に維持できた。また、腐敗臭はなく、３日後の表面の生菌数は図５に示すように、約２０個／ｃｍ2 で実験開始前とほぼ同数であった。
【００５９】
さらに、約１ｐｐｍの濃度のオゾンで連続的に処理した場合、負イオン処理とほぼ同様に腐敗臭はなく、表面の生菌数も負イオン処理とほぼ同様であった。しかし、鮪刺し身の外観はオゾンの強力な酸化作用により色が赤黒く変色し、品質が著しく低下するという問題が生じた。
【００６０】
次に、図６は食品８の代わりに寒天培地に人工的に植え付けたバクテリア（エアコンディショナのファンに付着したほこりから採取した微生物でＰｓｅｕｄｏｍｏｎａｓ属の緑濃菌）を保持したシャーレを冷蔵庫７１内に設置し、負イオン処理の効果を調べたものである。ここで、シャーレが設置された冷蔵庫７１内の雰囲気のイオン濃度は１０3 〜１０
4 個／ｃｍ3 で、かつ温度及び湿度条件はそれぞれ２５℃及び５０〜７０％とした。なお
、シャーレはこの条件下に３日間静置し、培地は標準寒天培地を用いた。さらに、電離室２３の電極間に印加する電圧は３〜５ｋＶとし、負イオンを発生させた。
【００６１】
図６に示すように、無処理の場合、バクテリアコロニーは３日後には約３７０個／シャーレに増殖し、イオン処理した場合、３日後には約１４個／シャーレと著しく増殖が抑制される効果が得られた。また、０．０１ｐｐｍ（約３×１０11個／ｃｍ3 ）の濃度のオゾ
ン処理（イオン濃度よりも約１０7 倍高い）の場合、バクテリアの繁殖防止効果は認めら
れず、無処理の場合とほぼ同様に３日後には約３５０個／シャーレに増殖した。
【００６２】
このように寒天培地に植え付けたバクテリアについても極めて低濃度の負イオン処理により繁殖を防止でき、上記の実験結果によると、負イオンによる微生物の繁殖防止能力はオゾンの場合の約１０7 倍高いと考えられる。
なお、図６では、Ｐｓｅｕｄｏｍｏｎａｓ属のバクテリアを用いて負イオンの効果を示したが、他のバクテリア例えば、カビ、大腸菌、サルモネラ菌などについても同様の効果が得られる。
【００６３】
また、熱交換器としての冷却器６５を微生物繁殖防止装置Ａの空気流上流側に配設すれば、冷却器６５との接触によるイオンの消滅を抑制でき効率よく食品等の貯蔵物８に供給することができる。
すなわち、図１に示すように風路の上流側から順に、冷却器６５、送風機６７、電離室２３及びオゾン分解室２８を配置するか、或いは図７のように送風機６７、冷却器６５、電離室２３、及びオゾン分解室２８の順に配置することにより電離室２３で発生したイオンが冷却器６５、送風機６７を通過することなくオゾン分解室２８において、混在するオゾンを分解・除去した後、直ちに食品等の貯蔵物８に供給することができる。この結果、冷却器６５、送風機６７を構成する金属部材との接触によるイオンの消滅を防ぐことができ、食品等の貯蔵物における微生物の繁殖を効率よく抑えることができる。
【００６４】
ここで、図７に示す冷凍・空調装置の一実施例について説明する。図１に示す実施例では送風機６７が庫内の被熱交換空気を冷却器６５に供給して熱交換させ、冷却ユニット７０のファンカバー６８から吹き出させる構成とし、その下流側に微生物繁殖防止装置Ａを配置したものであるが、図７のように送風機６７、送風機羽根６７ａに対応する空気吸込口８２ａを有し、ドレンパン８２ｂが一体に形成された外箱８２、及び冷却器６５等により冷却ユニット７０を構成し、上記冷却器６５を通過して吹き出される空気８６を上記微生物繁殖防止装置Ａの風路２２ｂに導くようにしたものであり、庫内の被熱交換空気７２は空気吸込口部８２ａに位置する送風機６７により吸入され、冷却器６５に供給されて冷却され、さらに風路２２ｂを介して微生物繁殖防止装置Ａ（電離室２３とオゾン分解室２８とにより構成される）に送出されてイオン化する。この結果イオン化された気体は直ちに食品等の貯蔵物８に供給されるため、冷却器６５、送風機６７でイオンが消滅することなく、効率よく、微生物の繁殖を防止する。
【００６５】
さらにまた、図８はこの発明による冷凍・空調装置の一実施例を示す断面図、図９（ａ），（ｂ）はダクト材を示す斜視図である。この実施例における冷却ユニット７０は冷蔵庫７１の上部に設置されたものであり、冷却ユニット７０の運転により冷蔵庫７１の天井開口部７１ｂを介して庫内の被熱交換空気が冷却器６５に供給され冷却される。さらにダクト材１１０及び１１１で構成された風路２２ｂを通り食品等の微生物繁殖物体８が貯蔵された庫内空間に供給される。
上記ダクト１１１には電離室２３及びオゾン分解室２８が取り付けられており、イオン化した気体を含む冷気３０が庫内空間に送出され、食品等への微生物の繁殖を防止する。
上記ダクト１１０及び１１１は絶縁材料で構成されており、微生物繁殖防止装置Ａをダクト１１１の中に組込めるため天井部７１ａへの取付工事が容易である。
【００６６】
実施例２．
上記実施例１では微生物繁殖防止装置Ａを冷却ユニット７０の空気吹出側に設けたが、図１０のように空気吸込口７５ａと空気吹出口７５ｂとを有し、風路２２ｂを形成する外箱７５内に配設された冷却器６５と送風機６７との間に微生物繁殖防止装置Ａを配置する。
この微生物繁殖防止装置Ａは実施例１と同様に構成されたものであり、電離室２３及びオゾン分解室２８を備え、電離室２３で負イオンを発生させ、オゾン分解室２８で上記負イオン中に混在するオゾンを分解・除去する。
６７は上記外箱７５の空気吹出口７５ｂ部に配置された送風機であり、その送風機羽根６７ａは絶縁材料で形成し、発生した負イオンが接触しても再結合しないように構成している。６６は上記冷却器６５に生じた凝縮水を受容するドレンパン、６８は送風機羽根６７ａに対応する吹出口が形成されたファンカバーである。６９は取付け板であり、上記のように構成された冷却ユニット７０を冷蔵庫の天井部７１ａに懸吊するものである。
【００６７】
以上のように構成された冷却装置においては、発生した負イオンが送風機羽根６７ａと接触しても再結合（イオンが中和）しなくなるため、発生した負イオンの減少が軽減でき、実施例１と同様な効果が得られる。さらに、微生物繁殖防止装置Ａが冷却ユニット７０に内蔵されているためコンパクトに構成され、改めて微生物繁殖防止装置Ａの取付け工事をする必要がなく、工事費用の低減を図ることができる。
【００６８】
実施例３．
ゴミ等が微生物繁殖防止装置Ａ内に入ると、負イオン発生量が低下するため、図１１で示すフィルタ８０を図１２で示すように微生物繁殖防止装置Ａの空気流上流側である冷却器６５吸込口に配置すると、負イオン発生量の低下を防ぐことができる。
【００６９】
また図１１のように、微生物繁殖防止装置Ａの空気流上流側で冷却器の吹出口にフィルタ８０を配置しても同様な効果が得られる。
【００７０】
また図１３、図１４のようにゴミ除去用のフィルタ８０を微生物繁殖防止装置Ａの空気流上流側である冷却器６５の吹出口に配置すれば図１２に示す冷却装置と同様の効果が得られる。
【００７１】
実施例４．
図１５は、この発明による冷凍・空調装置の一実施例である冷却装置を示すもので、図において、９０は上記微生物繁殖防止装置Ａから食品等を貯蔵する空間に供給される負イオンを捕集する負イオン捕集電極、９１は上記負イオン発生量を電流変換する変換装置９１であり、上記負イオン捕集電極９０と上記変換装置９１とによりイオン検出手段９０ａを構成する。９２は上記イオン検出手段９０ａで検出されたイオン検出量と予め設定された供給イオン目標置（設定装置９２ａにより設定する）とを比較する比較手段、９３は上記比較手段９２からの出力信号に基づき微生物繁殖防止装置Ａから発生するイオン量を制御するイオン発生量制御手段であり、この実施例では送風機６７の回転数を制御することによりイオン発生量を制御する。
【００７２】
次に動作について説明する。
一定体積中に含まれる負イオンを電界の作用で捕集電極９０上に捕集し、変換装置９１により電流値に変換する。そして比較手段９２において上記変換装置９１で変換された値と予め設定された供給イオン目標値（目標電流値）とを比較し、上記比較手段９２からの出力信号に基づき目標負イオン発生量になるようにイオン発生量制御手段９３により送風機６７の回転数を制御する。図４のように、送風機６７の回転数を変更し、風速を変更すれば、負イオン発生量も変化するので、冷蔵庫７１内の負イオン量をほぼ一定に保つことができる。
なお、送風機６７の回転数を制御することにより冷却器６５の熱交換能力も変動するので冷却器６５と並列にバイパス路を設け、かつこのバイパス路に風量調節装置を設けて、上記冷却器６５への供給風量が変動しないように、上記送風機６７の回転数制御と連動させる構成とするとよい。風量調節装置としてバイパス路を開閉制御するダンパー方式のものでもよいし、風量調節用送風機を設け、この送風機の回転数を制御してもよい。
【００７３】
上記実施例では、負イオン発生量が目標値になるように送風機６７の回転数を変更したが、図１６のようにイオン発生量制御手段７３により負イオンを発生させるための高圧発生器４の印加電圧を制御しても同様な効果が得られる。印加電圧と負イオン発生量との関係は図３に示すとおりである。また、負イオン発生量を検出し、高圧発生器４の印加電圧を間欠的に印加しても同様の効果が得られる。
以上のように制御し得る構成としたことにより、貯蔵される微生物繁殖物体８等の種類に応じて、最適の供給イオン目標値に制御することができるので、微生物の繁殖抑止作用、或いはまた、被空調空間の浄化作用を最適の条件に維持することができる。
なお、上記実施例においては、イオン検出手段９０ａで、発生イオン量を検出し、この発生イオン量が目標値となるように制御するものであるが、食品等の微生物繁殖物体８を格納する空間等のイオン濃度をイオン濃度検出手段により検出し、このイオン濃度が所定の値となるようにイオン発生量制御手段９３により制御しても同様な効果を得ることができる。
【００７４】
実施例５．
図１７、図１９はこの発明による冷凍・空調装置である冷却装置を示す構成図であり、図において１，４，８，２２，２２ａ，２３，２５，２８〜３１，６５〜７２，６７ａ，７１ａは上記実施例１に示すものと同様のものであり、５０は冷蔵庫７１内の庫内温度を検出する温度検出手段、５１は相対湿度を検出する湿度検出手段、５２は上記温度検出手段５０及び湿度検出手段５１から絶対湿度を算出する算出部、９３は上記算出部５２で算出された絶対湿度が変動した場合イオン発生量が目標値に復帰するように補正制御するイオン発生量制御手段であり、この実施例においては送風機６７の回転数を補正制御することによりイオン発生量を目標値に制御する。
【００７５】
マイナスイオン発生量（個／ｓｅｃ）は、図１６に示すように絶対湿度に応じて変動し、したがって、食品等の微生物繁殖物体８を格納する空間のイオン濃度も変動する。この変動分を補正して最適なイオン濃度（個／ｃｍ3 ）に維持するため、図４に示す特性線［
イオン発生量（個／ｓｅｃ）−風速（ｃｍ／ｓｅｃ）］に基づいてイオン発生量が目標値となるように風速、したがって送風機６７の回転数を補正制御するものである。
なお、安定した状態における上記格納空間のイオン濃度とイオン発生量との間には一定の関係があり、この実施例では格納する物体の種類に応じ、予め実験的、或いは経験的に求めておいた最適のイオン濃度が得られるイオン発生目標値に補正制御する。
【００７６】
また、上記実施例では送風機６７の回転数を補正制御することによってイオン発生量を目標値に制御したが、図３に示す特性線［負イオン発生量（個／ｓｅｃ）−印加電圧］に基づいて湿度変動による負イオン発生量の変動分を印加電圧の補正制御によって補ってもよい。
【００７７】
実施例６．
上記実施例１では、オゾン分解室２８に二酸化マンガン、活性炭、活性アルミナなどの分解触媒を充填したものについて示したが、図２０（ａ），（ｂ）、図２１（ａ），（ｂ）に示すように、オゾン分解室２８をテフロン(R)樹脂、アクリル樹脂等の有機絶縁材料やセラミック材等の無機絶縁材料により被覆された格子状の発熱抵抗体３２で構成し、オゾンを熱分解する構成としてもよい。３３は格子状の発熱抵抗体３２に電流を供給したり、或いは停止させる電流供給部である。
【００７８】
次に動作について説明する。
格子状発熱体３２に通過してオゾンを分解した場合は、負イオン発生のみとなり、格子状発熱体への通電を停止した場合、オゾンと負イオンの両方が発生するため、収容物によって、オゾンと負イオンの混合気体を供給することも、負イオンのみを供給することも可能であるため食品等の収容物に適した制御ができる冷却装置を得ることができる。
【００７９】
実施例６の格子状発熱体３２に図２０（ｂ）のように電流を供給及び停止する電流供給部３３を設けるとともにタイマ機能部を有する供給電流制御部３４を設け、上記タイマ機能部の信号により、上記電流供給部３３に指令を出す。
【００８０】
次に動作について説明する。
タイマ機能をもつ供給電流制御部３４により、格子状発熱体３２に電流を供給（負イオンのみ発生）、電流を停止（オゾンと負イオン発生）できるので、夜間など人のいないときに、オゾンと負イオンを発生させ（オゾン濃度を高くすると殺菌力が増加する）、昼間など人のいるときに負イオンのみ発生させることができるので、時間帯に応じた制御、或いは収容物に適した制御可能な冷却装置を得ることができる。
【００８１】
上記実施例では、格子状発熱体３２への電流の供給をＯＮ・ＯＦＦ制御する構成のものを示したが、格子状発熱体３２への電流値を制御してオゾン分解能力を調整し、イオンとオゾンとの混合比率が食品等の微生物発生物体の種類に応じた最適な混合比率として供給することもできる。
また、上記実施例における発熱体は電気抵抗によるものを示したが、パイプ、或いは密閉容器で構成し、高温の熱媒体を供給してもよい。高温の熱媒体としては、圧縮機から吐出される高温の冷媒ガスであってもよいし、蒸気、或いは高温水であってもよい。なお、上記のように発熱体をパイプ、或いは密閉容器で構成した場合も前述のように有機絶縁材料や無機絶縁材料で被覆する。
【００８２】
実施例７．
図２２（ａ）は、この発明による冷凍・空調装置の要部を示す構成図、図２２（ｂ）はオゾン分解室を示す斜視図であり、図において１，２，４，２２，２２ａ，２２ｂ，２３，２５，２７，３０は図１に示す実施例１と同様のものであり、その説明を省略する。
２８はオゾン分解室、２８ａは上記オゾン分解室２８の外枠であり、アクリル樹脂等の透明部材、或いは透視可能な網材等で構成されたものである。２８ｂは上記外枠２８ａ内を区画し、多数の通風路が形成された部分であり、二酸化マンガン等のオゾン分解触媒を収容している。
上記のように構成されたオゾン分解室２８において、電離室２３から供給されるイオン化された気体２７中に含まれるオゾンが上記通風路２８ｂを通る間に、上記触媒によって分解・除去され、イオン化された気体のみがオゾン分解室２８から送出される。
運転時間が経過し、オゾン分解触媒が寿命になると例えば二酸化マンガンは白色化するため、オゾン分解室２８を取付けた風路構成部材２２に点検窓２２ｆを取付けておけば上記外枠２８ａを通して容易にその交換時期を識ることができる。
【００８３】
また、３５はオゾン分解室２８が取付けられた風路構成部材であり、風路２２ｂに対して着脱可能に取付けられたものである。
この実施例においては、断面形状がコ字状に形成され、上記オゾン分解室２８の上下両面にそれぞれ取付けられたものであり、上記コ字状部両端からそれぞれ外側に張り出したフランジ部３５ａを備えている。
【００８４】
一方、風路２２ｂの断面は方形状に形成されており、その前面、及び上、下面部には、上記オゾン分解室２８が挿着できるように切欠き部が設けられている。その挿着時には、上記コ字状の風路構成部材３５の弾性作用を利用して上記風路２２ｂの天板部２２ｃ及び底板部２２ｄに、フランジ部３５ａを挿入固定し、前面部を塞ぎ板（図示せず）で塞ぐ。また、オゾン分解触媒が寿命に達し、交換時期がきた時には、挿着時とは逆の手順で、塞ぎ板を外し、上記フランジ部３５ａを内側に押し変形させて天板部２２ｃ及び底板部２２ｄから外す。
【００８５】
さらに、上記風路構成部材３５を、透明な樹脂等で形成しておけば、オゾン分解室２８の上記外枠２８ａ、上記風路構成部材３５を通して、何時でも外部から容易にオゾン分解触媒の変化、変色の状態を把握することができ、上記触媒の交換時期を逸することはない。
【００８６】
実施例８．
上記実施例４は、食品等の微生物繁殖物体が貯蔵された空間に供給するイオン量が目標値となるようにイオン発生量制御手段９３によって送風機６７の回転数、或いはイオン発生手段を備えた電離室２３への印加電圧を制御するものであるが、この実施例においては、イオンの発生に伴って発生するオゾン量を検出し、このオゾン検出量が所定の値となるように例えば送風機６７の回転数、或いは電離室２３への印加電圧を制御する。
【００８７】
図２３は、この発明による冷凍・空調装置である冷却装置を示す構成図である。図においてＢは電離室２３を備えた微生物繁殖防止装置であり、送風機６７により供給される冷気１中にイオンとともにオゾンを発生させ、食品等の微生物繁殖物体８に冷気３０として供給する。
６１は、上記冷気３０中に含まれるオゾン量を検出するオゾン検出手段、６２は上記オゾン検出手段６１により検出されたオゾン検出値（オゾン発生量）が所定の値（オゾン濃度が０．１ｐｐｍ以下、好ましくは０．０３ｐｐｍ程度）となるように制御するオゾン発生量制御手段であり、この実施例においては高圧発生器４の稼働、或いは発生電圧を制御するものである。
【００８８】
以上のように微生物が繁殖する物体を格納する空間或いは被空調空間にイオンと所定低濃度のオゾンとを供給することによりイオンだけを単独に供給する場合よりもオゾンとの相乗効果により微生物の繁殖をより効果的に抑止したり、或いは被空調空間をより効果的に清浄化するとともに、装置を構成する器材の腐食や、人体への悪影響を排除することができる。
【００８９】
上記実施例においては、オゾン発生量制御手段６２によって高圧発生器４の稼働、或いは発生電圧を制御してオゾン発生量を所定の値に維持するものであるが、この実施例においては、図２４に示すようにオゾン検出手段６１により検出されたオゾン検出値が、上記所定の値となるように、送風機６７の回転数を制御する構成としたものであり、同様な効果を奏する。
【図面の簡単な説明】
【００９０】
【図１】この発明の実施例１による冷凍・空調装置の構成図である。
【図２】この発明の冷凍・空調装置の微生物繁殖防止装置の詳細図である。
【図３】電離室への印加電圧［ｋＶ］と、負イオン発生量［個／ｓｅｃ］との関係を示す特性線図である。
【図４】電離室に供給する風速［ｃｍ／ｓｅｃ］と、負イオン発生量［個／ｓｅｃ］との関係を示す特性線図である。
【図５】イオンによって微生物の繁殖を抑えることを証明する実験結果を示す表図である。
【図６】イオンによってバクテリアの繁殖を抑えられることを証明する実験結果を示す表図である。
【図７】この発明の実施例１による他の冷凍・空調装置の構成図である。
【図８】この発明の実施例１によるさらに他の冷凍・空調装置を示す断面図である。
【図９】図８に示す冷凍・空調装置のダクト材を示す斜視図である。
【図１０】この発明の実施例２による冷凍・空調装置の構成図である。
【図１１】この発明の実施例３による冷凍・空調装置のフィルターを示す図である。
【図１２】この発明の実施例３による冷凍・空調装置の構成図である。
【図１３】この発明の実施例３による他の冷凍・空調装置の構成図である。
【図１４】この発明の実施例３によるさらに他の冷凍・空調装置の構成図である。
【図１５】この発明の実施例４による冷凍・空調装置の構成図である。
【図１６】この発明の実施例４による他の冷凍・空調装置の構成図である。
【図１７】この発明の実施例５による冷凍・空調装置の構成図である。
【図１８】供給される空気の絶対湿度［Ｋｇ／Ｋｇ］と、電離室のマイナスイオン発生量［個／ｓｅｃ］との関係を示す特性線図である。
【図１９】この発明の実施例５による他の冷凍・空調装置の構成図である。
【図２０】図２０（ａ）は実施例６による冷凍・空調装置の微生物繁殖防止装置の構成図である。  図２０（ｂ）はその発熱体である。
【図２１】図２１（ａ）は実施例６による他の冷凍・空調装置の微生物繁殖防止装置の構成図である。  図２１（ｂ）はその発熱体制御構成図である。
【図２２】図２２（ａ）は実施例７による冷凍・空調装置の構成図である。  図２２（ｂ）はそのオゾン分解室を示す斜視図である。
【図２３】この発明の実施例８による冷凍・空調装置の構成図である。
【図２４】この発明の実施例８による他の冷凍・空調装置の構成図である。
【図２５】従来の微生物繁殖防止装置を示す構成図である。
【図２６】従来の冷却装置を示す構成図である。
【符号の説明】
【００９１】
２２ｂ  風路
２３  電離室
２８  オゾン分解室
３２  発熱体
３４  供給電流制御部
３５  風路構成部材
５０  温度検出手段
５１  湿度検出手段
５２  算出部
６１  オゾン検出手段
６２  オゾン発生量制御手段
６５  熱交換器
６７  送風機
６７ａ  送風機羽根
Ａ，Ｂ  微生物繁殖防止装置
７５  外箱
７５ａ  空気吸込口部
７５ｂ  空気吹出口部
８０  フィルタ
９０ａ  イオン検出手段
９２  比較手段
９３  イオン発生量制御手段
【図１】
2004170068.tif 000003
【図２】
2004170068.tif 000004
【図３】
2004170068.tif 000005
【図４】
2004170068.tif 000006
【図５】
2004170068.tif 000007
【図６】
2004170068.tif 000008
【図７】
2004170068.tif 000009
【図８】
2004170068.tif 000010
【図９】
2004170068.tif 000011
【図１０】
2004170068.tif 000012
【図１１】
2004170068.tif 000013
【図１２】
2004170068.tif 000014
【図１３】
2004170068.tif 000015
【図１４】
2004170068.tif 000016
【図１５】
2004170068.tif 000017
【図１６】
2004170068.tif 000018
【図１７】
2004170068.tif 000019
【図１８】
2004170068.tif 000020
【図１９】
2004170068.tif 000021
【図２０】
2004170068.tif 000022
【図２１】
2004170068.tif 000023
【図２２】
2004170068.tif 000024
【図２３】
2004170068.tif 000025
【図２４】
2004170068.tif 000026
【図２５】
2004170068.tif 000027
【図２６】
2004170068.tif 000028